(57)【要約】【課題】冬期におけるコールドドラフト対策として有効で、コストを抑制することが可能な空調システムに関する。【解決手段】本発明の空調システムは、ペリメーターゾーンの床面に設けられたスリット吸い込み口１３と、床面下部の床下チャンバー１１に吸い込み口４１を有する第１ダクトＤ１と、インテリアゾーンの天井上部の天井チャンバー２１に設けられた室内空調機に対する吹き出し口４５を有する第２ダクトＤ２と、前記第１ダクトＤ１から前記第２ダクトＤ２に向けた送風を行うファン４３と、からなることを特徴とする。【選択図】      図１
2013036719.tif 000002
【特許請求の範囲】
【請求項１】
ペリメーターゾーンの床面に設けられたスリット吸い込み口と、
床面下部の床下チャンバーに吸い込み口を有する第１ダクトと、
インテリアゾーンの天井上部の天井チャンバーに設けられた室内空調機に対する吹き出し口を有する第２ダクトと、
前記第１ダクトから前記第２ダクトに向けた送風を行うファン、からなることを特徴とする空調システム。
【請求項２】
前記スリット吸い込み口で吸い込まれる気流の温度を検出する温度センサーと、
前記室内空調機で送風される気流の温度を設定するリモコンと、
前記ファンの駆動を制御するファンコントローラーと、
前記温度センサーで検出された温度と前記リモコンで設定された温度とに基づいて前記ファンコントローラーに対して制御指令を発するメインコントローラーと、を有することを特徴とする請求項１に記載の空調システム。
【発明の詳細な説明】
【技術分野】
【０００１】
本発明は、窓辺のペリメーターゾーンにおいてコールドドラフト対策が施された空調システムに関する。
【背景技術】
【０００２】
気温が室内温度より低いときには、室内の暖かい空気が窓面に触れて温度が低下することにより、その温度の低下した空気が窓面に沿って下降する現象が発生する。このような空気（冷気）の流れはコールドドラフトと呼ばれ、窓付近の温度を低下させて室内の快適性を損なう原因として一般に知られている。
【０００３】
そこで、窓辺のペリメーターゾーンにおいてはコールドドラフト対策が施された空調システムが提案されている。
【０００４】
例えば、特許文献１（特公平７−２１２７４号公報）には、室内における空調負荷を軽減して省エネルギー化等を図るために、二重窓構造式のエアフローウインドウが用いられることが開示されている。また、コールドドラフト対策として、プッシュプルウインドウなどを用いることも提案されている。
【特許文献１】特公平７−２１２７４号公報
【発明の概要】
【発明が解決しようとする課題】
【０００５】
従来技術のペリメーターゾーンのコールドドラフト対策としては、エアフローウインドウやプッシュプルウインドウなどが用いられているが、これらの技術は夏期の対策が主となっており、熱気の流れる方向に合わせ空気を下から上の方向に流している。冬期に関してはコールドドラフトの空気の流れは上から下になるので、逆の方向とはなるが、二重窓等があれば、コールドドラフト対策としては有効であった。
【０００６】
しかしながら、従来の技術によってコールドドラフト対策をとる場合には、二重窓、プッシュファン、プルファン等といった設備を準備しなければならず、非常に大きなコストがかかる、という問題もあった。
【課題を解決するための手段】
【０００７】
この発明は、上記課題を解決するものであって、請求項１に係る発明は、ペリメーターゾーンの床面に設けられたスリット吸い込み口と、床面下部の床下チャンバーに吸い込み口を有する第１ダクトと、インテリアゾーンの天井上部の天井チャンバーに設けられた室内空調機に対する吹き出し口を有する第２ダクトと、前記第１ダクトから前記第２ダクトに向けた送風を行うファンと、からなることを特徴とする空調システムである。
【０００８】
また、請求項２に係る発明は、請求項１に記載の空調システムにおいて、前記スリット吸い込み口で吸い込まれる気流の温度を検出する温度センサーと、前記室内空調機で送風される気流の温度を設定するリモコンと、前記ファンの駆動を制御するファンコントローラーと、前記温度センサーで検出された温度と前記リモコンで設定された温度とに基づいて前記ファンコントローラーに対して制御指令を発するメインコントローラーと、を有することを特徴とする。
【発明の効果】
【０００９】
本発明に係る空調システムによれば、上から下に流れる冬期のコールドドラフトを、ペ
リメーターゾーンの床面に設けられたスリット吸い込み口から吸い込み利用する構成となっているので、冬期におけるコールドドラフト対策として有効であり、また、二重窓、プッシュファン、プルファン等といった設備が不要であるので、コストを抑制することが可能となる。
【図面の簡単な説明】
【００１０】
【図１】本発明の実施形態に係る空調システムが適用された空間Ｒの概略を側面からみた図である。
【図２】本発明の実施形態に係る空調システムが適用された空間Ｒの概略の平面図である。
【図３】本発明の実施形態に係る空調システムの簡略化されたブロック図である。
【図４】本発明の実施形態に係る空調システムにおける制御例のフローチャートを示す図である。
【発明を実施するための形態】
【００１１】
以下、本発明の実施の形態を図面を参照しつつ説明する。図１は本発明の実施形態に係る空調システムが適用された空間Ｒの概略を側面からみた図であり、図２は本発明の実施形態に係る空調システムが適用された空間Ｒの概略の平面図である。
【００１２】
空間Ｒは、窓１２から数メートルの範囲内のペリメーターゾーンと、それ以外のインテリアゾーンの２つのゾーンに仮想的に分けることができる。空間Ｒの床面はＯＡフロア１０で構成されており、このＯＡフロア１０とスラブとの間には床下チャンバー１１が形成されている。
【００１３】
また、窓１２近傍におけるペリメーターゾーンのＯＡフロア１０には、図２に示すように、スリット吸い込み口１３が窓１２と並行するようにして設けられている。このスリット吸い込み口１３によりコールドドラフトは、床下チャンバー１１に導かれるようになっている。本発明に係る空調システムにおいては、スリット吸い込み口１３に導かれたコールドドラフトは、インテリアゾーンに配されている室内空調機器３２、室内空調機器３３の冷房運転の補助となるように利用される。従って、窓１２は北側（日本などの北半球にある場合）を向いている方が、より有効に本発明を利用することが可能となる。
【００１４】
また、スリット吸い込み口１３の下部には、スリット吸い込み口１３に導かれたコールドドラフトの気流の温度を検出する温度センサー１２０が設けられている。なお、温度センサー１２０を設ける位置としては、スリット吸い込み口１３の下部の位置に限定される必要はない。
【００１５】
天井吸い込み口２２、天井吸い込み口２３、天井吸い込み口２４が設けられている天井２０の上部の天井チャンバー２１には、室内空調機器３１、室内空調機器３２、室内空調機器３３が配されている。これらの室内空調機器のうち、室内空調機器３１、室内空調機器３２についてはインテリアゾーンに対応する天井部に配されており、室内空調機器３３はペリメーターゾーンに対応する天井部に配されている。なお、それぞれの室内空調機器には複数の配管が設けられているが、図示省略している。
【００１６】
室内空調機器３１で調整された空気は天井吹き出し口３４から、また、室内空調機器３２で調整された空気は天井吹き出し口３５から、室内空調機器３３で調整された空気は天井吹き出し口３６から、それぞれ空間Ｒに対して吹き出されるようになっている。
【００１７】
第１のダクトＤ１は、床下チャンバー１１と天井チャンバー２１との間に設けられているダクトである。この第１ダクトＤ１は、ＯＡフロア１０の下部の床下チャンバー１１に
吸い込み口４１が設けられている。スリット吸い込み口１３に導かれたコールドドラフトの気流は床下チャンバー１１を経て、第１のダクトＤ１の吸い込み口４１からダクトへと吸い込まれることが想定されている。
【００１８】
インテリアゾーンの天井上部においては、室内空調機器３１に対する吹き出し口４５を有する第２ダクトＤ２が設けられている。
【００１９】
第１のダクトＤ１と第２のダクトＤ２の間にはファン４３が設けられている。このファン４３が駆動されると、第１ダクトＤ１から前記第２ダクトＤ２に向けた送風が行われ、第１のダクトＤ１の吸い込み口４１から吸い込まれたコールドドラフトの気流を、吹き出し口４５から室内空調機器３１に対して吹き付けることができるようになっている。
【００２０】
また、第２のダクトＤ２はその途中で、第３のダクトＤ３に分岐するようになっている。この第３のダクトＤ３は、インテリアゾーンに相当する天井チャンバー２１に配されている室内空調機器３２に対する吹き出し口４７を有している。したがって、ファン４３が駆動されると、第１のダクトＤ１の吸い込み口４１から吸い込まれたコールドドラフトの気流は、吹き出し口４７から室内空調機器３２に対しても吹き付けられる。
【００２１】
上記のようにインテリアゾーンに対応する位置にレイアウトされている室内空調機器３１、及び室内空調機器３２に対しては、ファン４３の駆動により、コールドドラフトの気流を吹き付けることが可能な構成となっている。ＯＡ機器の発熱などがあるために、通常、インテリアゾーン相当位置に配されている室内空調機器３１、及び室内空調機器３２は冬期においても、冷房運転されるのが一般的であるが、上記のようにコールドドラフトを、冷房運転中の室内空調機器３１、及び室内空調機器３２に吹き付けることで、それぞれの機器の負荷を低下させることが可能となる。
【００２２】
空間Ｒの壁面には、リモコン１１０が取り付けられており、このリモコン１１０が、室内空調機器３１、室内空調機器３２、室内空調機器３３に対して、動作指令（運転、停止、運転モード、風量・風向設定、温度設定など）を与えるようになっている。
【００２３】
本発明に係る空調システムによれば、上から下に流れる冬期のコールドドラフトを、ペリメーターゾーンの床面に設けられたスリット吸い込み口１３から吸い込み利用する構成となっているので、冬期におけるコールドドラフト対策として有効であり、また、二重窓、プッシュファン、プルファン等といった設備が不要であるので、コストを抑制することが可能となる。
【００２４】
次に、以上のように構成される空調システムにおける制御例について説明する。図３は本発明の実施形態に係る空調システムの簡略化されたブロック図である。図３において、メインコントローラー１００は、演算部、記憶部を有する一般的なマイクロコンピューターから構成されるもので、空調システムの主制御を担うものである。
【００２５】
また、温度センサー１２０は、スリット吸い込み口１３に導かれたコールドドラフトの気流の温度を検出するものであり、温度センサー１２０によって検出された温度データはメインコントローラー１００に入力されて、制御を行うときの参照値とされる。
【００２６】
また、ファン４３は、メインコントローラー１００から入力される制御指令に応じて、駆動又は停止する。
【００２７】
次に、以上のようなブロック構成を有する空調システムにおける制御アルゴリズム例について説明する。図４は本発明の実施形態に係る空調システムにおける制御例のフローチ
ャートを示す図である。
【００２８】
図４に示すフローチャートは、ファン４３の駆動をどのように行うかを決定するルーチンであり、例えば、空調システムの起動後、適正にファン４３の制御を行うことが可能となる。
【００２９】
図４において、ステップＳ１００でフローが開始されると、続くステップＳ１０１では、温度センサー１２０によって検出された温度データＴｓが取得され、ステップＳ１０２では、設定されている温度Ｔｏが取得される。
【００３０】
次のステップＳ１０３では、Ｔｓ＜Ｔｏが成立するか否かが判定される。ステップＳ１０３における判定がＹＥＳであるときにはコールドドラフトの気流温度Ｔｓが、設定温度Ｔｏより低い、ということになるので、ファン４３を駆動して、コールドドラフトの気流を室内空調機器３１、室内空調機器３２に吹き付けることで、室内空調機器３１、室内空調機器３２の負荷を低減させるようにする。
【００３１】
一方、ステップＳ１０３における判定がＮＯであるときにはコールドドラフトの気流温度Ｔｓが、設定温度Ｔｏより高い、ということになるので、ファン４３を駆動せず、コールドドラフトを利用することはしない。
【００３２】
以上のような制御を行うことで、室内空調機器３１、室内空調機器３２の負荷を低減させことができるので、エネルギー効率を上昇させることが可能となる。
【００３３】
以上、本発明に係る空調システムによれば、上から下に流れる冬期のコールドドラフトを、ペリメーターゾーンの床面に設けられたスリット吸い込み口から吸い込み利用する構成となっているので、冬期におけるコールドドラフト対策として有効であり、また、二重窓、プッシュファン、プルファン等といった設備が不要であるので、コストを抑制することが可能となる。
【符号の説明】
【００３４】
１０・・・ＯＡフロア
１１・・・床下チャンバー
１２・・・窓
１３・・・スリット吸い込み口
２０・・・天井
２１・・・天井チャンバー
２２・・・天井吸い込み口
２３・・・天井吸い込み口
２４・・・天井吸い込み口
３１・・・室内空調機器
３２・・・室内空調機器
３３・・・室内空調機器
３４・・・天井吹き出し口
３５・・・天井吹き出し口
３６・・・天井吹き出し口
４１・・・ダクト吸い込み口
４３・・・ファン
４５・・・ダクト吹き出し口
４７・・・ダクト吹き出し口
５０・・・外調機
５１・・・可変風量制御装置
５２・・・天井吹き出し口
５４・・・ダクト吸い込み口
５５・・・可変風量制御装置
１００・・・メインコントローラー
１１０・・・リモコン
１２０・・・温度センサー
【図１】
2013036719.tif 000003
【図２】
2013036719.tif 000004
【図３】
2013036719.tif 000005
【図４】
2013036719.tif 000006